(57)【要約】【課題】この発明は、広範囲な指向特性を得ることを可能とし、しかも、小型化に好適する高周波受信装置を提供することを目的とする。【解決手段】本体筐体部４２に対して可動可能に支持されたディスプレイ筐体部４１に、高周波信号を受けるアンテナ１と、このアンテナ１からの出力信号を増幅して本体筐体部４２に内蔵された回路２３に供給する増幅回路４３とを備えるようにしている。【選択図】    図７
2004357219.tif 000002
【特許請求の範囲】
【請求項１】
高周波信号を受信する高周波回路と、この高周波回路の出力から映像信号及びデータ信号の少なくとも一方を得る信号処理回路とを内蔵した本体筐体部と、
この本体筐体部に対して可動可能に支持され、前記信号処理回路の出力を表示するディスプレイを備えたディスプレイ筐体部とを具備し、
前記ディスプレイ筐体部に、高周波信号を受けるアンテナと、このアンテナからの出力信号を増幅して前記高周波回路に供給する増幅回路とを備えることを特徴とする高周波受信装置。
【請求項２】
前記増幅回路は、前記アンテナに近接させて設置することを特徴とする請求項１記載の高周波受信装置。
【請求項３】
複数の前記アンテナの少なくとも１つが、前記ディスプレイ筐体部に設置されることを特徴とする請求項１または２記載の高周波受信装置。
【請求項４】
複数の前記アンテナが、前記ディスプレイ筐体部に設置されることを特徴とする請求項１または２記載の高周波受信装置。
【請求項５】
前記ディスプレイ筐体部に設置された複数の前記アンテナそれぞれに対して、増幅回路を前記ディスプレイ筐体部に設置することを特徴とする請求項４記載の高周波受信装置。
【請求項６】
前記増幅回路と前記高周波回路との接続に、フレキシブル基板に施されたマイクロストリップ線路及びフレキシブル基板に施されたコプレーナ線路のいずれかを用いることを特徴とする請求項１乃至５いずれかに記載の高周波受信装置。
【発明の詳細な説明】
【０００１】
【発明の属する技術分野】
この発明は、特に衛星デジタル放送を受信する携帯用の放送受信端末等に使用して好適する高周波受信装置に関する。
【０００２】
【従来の技術】
周知のように、現在、２．６ＧＨｚ帯を使用した衛星デジタル放送システムが開発されている。この衛星デジタル放送システムは、携帯型の放送受信端末のような移動体を主なサービス対象としている。
【０００３】
また、この衛星デジタル放送システムは、高音質のデジタル音声放送という位置付けの他、簡易動画を含むマルチメディアコンテンツを、移動体に向けて配信可能な放送メディアとして大きく期待されている。
【０００４】
他の新メディアとしては、固定受信用に回線設計された地上デジタル放送システムが挙げられるが、このシステムは受信可能範囲が限られており、送信アンテナに近い場所での使用が前提となっている。ところが、この衛星デジタル放送システムにおいては、静止衛星からの放送電波が到来するところであれば、どこでも受信可能となる。
【０００５】
ところで、現状における携帯型の放送受信端末は、アンテナとしてロッドアンテナ用いるのが一般的であり、その他に、ヘリカルアンテナを搭載したものも市場に出回っている。
【０００６】
しかしながら、これらの構造では、アンテナが放送受信端末の本体から外方に突出しているため、持ち運びに不便となり、ユーザーにとっての取り扱いの点で改善の必要が生じている。
【０００７】
また、この問題に対処するために、アンテナとしてチップアンテナを使用することが考えられている。このチップアンテナを採用することにより、アンテナ自体は、放送受信端末の本体から外方に突出することがなくなる。
【０００８】
しかしながら、チップアンテナを実装する際には、印刷配線基板の配線パターン及びその周辺のアースパターンを除去する必要があるので、実質的な占有面積が広くなり、小型化が損なわれるという問題が生じる。
【０００９】
さらに、携帯型の放送受信端末は、ユーザーが手で持った状態で、操作や放送コンテンツの視聴を行なうものである。このため、衛星デジタル放送システムの実用化に際しては、放送受信端末が、衛星からの放送電波を妨害なく効率的に受信できるような対策を施すことが肝要となる。
【００１０】
特に、衛星デジタル放送システムでは、音声のみのコンテンツもあり、表示画面を見ることなく、衣服のポケット等に収納した状態で聴取するという使用形態が想定される。
【００１１】
この場合、放送受信端末にとっての上下左右は定まっていないため、放送受信端末としては、どのような向きに置かれても良好な受信ができるように、できるだけ広範囲な指向特性を満足させる必要がある。
【００１２】
ここで、特許文献１には、屋内のみならず、移動体搭載用、携帯用としてのニーズに対応した簡易受信装置で受信可能な衛星放送システムが開示されている。しかしながら、この特許文献１では、衛星の送信アンテナ自体を改良する構成であるため、実用化に不向きとなる。
【００１３】
また、特許文献２には、液晶テレビ装置等の移動状態で使用されるテレビ受信機に適用され、映像、音声共に安定した良好な受信を行なうことが可能なアンテナ制御装置が開示されている。
【００１４】
しかしながら、この特許文献２では、２つの受信アンテナで受信した信号を加算し、その加算信号レベルに基づいて一方の受信アンテナで得られた受信信号の利得制御を行なうようにしたもので、回路構成が複雑化して実用化に不向きとなる。
【００１５】
【特許文献１】
特開平１０−３０８９４１号公報
【００１６】
【特許文献２】
特開平８−２３４８２号公報
【００１７】
【発明が解決しようとする課題】
そこで、この発明は上記事情を考慮してなされたもので、広範囲な指向特性を得ることを可能とし、しかも、小型化に好適する高周波受信装置を提供することを目的とする。
【００１８】
【課題を解決するための手段】
この発明に係る高周波受信装置は、高周波信号を受信する高周波回路と、この高周波回路の出力から映像信号及びデータ信号の少なくとも一方を得る信号処理回路とを内蔵した本体筐体部と；この本体筐体部に対して可動可能に支持され、信号処理回路の出力を表示するディスプレイを備えたディスプレイ筐体部とを具備し；ディスプレイ筐体部に、高周波信号を受けるアンテナと、このアンテナからの出力信号を増幅して高周波回路に供給する増幅回路とを備えるようにしたものである。
【００１９】
上記のような構成によれば、本体筐体部に対して可動可能に支持されたディスプレイ筐体部に、高周波信号を受けるアンテナと、このアンテナからの出力信号を増幅して本体筐体部に内蔵された回路に供給する増幅回路とを備えるようにしている。これにより、アンテナからの出力信号を損失なく本体筐体部に内蔵された回路に供給することができるようになるため、アンテナの設置位置の自由度を高め、ひいては、広範囲な指向特性を得ることを可能とし、小型化に好適するものとなる。
【００２０】
【発明の実施の形態】
以下、この発明の実施の形態について図面を参照して詳細に説明する。まず、図１は、この実施の形態で説明する衛星デジタル放送システムを概略的に示している。
【００２１】
すなわち、放送局Ａから送信された放送コンテンツは、衛星Ｂを介してユーザーの所持する携帯型の放送受信端末１０に受信されることにより、ユーザーの視聴に供される。
【００２２】
また、この衛星デジタル放送システムでは、衛星Ｂからの放送電波を、ギャップフィラーＣを介して、例えば屋内や地下等の衛星Ｂからの放送電波が届かない場所に存在する放送受信端末１０に供給している。
【００２３】
図２は、上記放送受信端末１０の外観を示している。すなわち、この放送受信端末１０の筐体１１は、後述する電気回路等を内蔵した本体筐体部４２と、液晶表示パネル１４を内蔵し、本体筐体部４２に対して可動する機能を持つディスプレイ筐体部４１とによって構成される。
【００２４】
このうち、ディスプレイ筐体部４１は、略薄い直方体状に形成されており、前面１２には開口１３が設けられ、この開口１３から液晶表示パネル１４が露出するように取り付けられている。
【００２５】
本体筐体部４２には、チャンネル切り替え、音量調整の他、放送受信端末１０の機能切り替え、あるいは調整するための複数の操作ボタン１５が設けられ、さらに電源をオンオフするための操作ボタン１６も設けられている。また、この本体筐体部４２には、図示しないスピーカから発生される音を外部に導出するための複数の孔１７が形成されている。
【００２６】
そして、この本体筐体部４２の内部には、放送受信端末１０の電気回路が収容されるスペース、及びディスプレイ筐体部４１が格納されるスペースが設けられている。
【００２７】
さらに、ディスプレイ筐体部４１と本体筐体部４２のそれぞれの上方面には、アンテナ１がそれぞれ１つずつ実装されている。
【００２８】
図３は、放送受信端末１０内部を示す下面後方からの斜視図を示し、説明の便宜上、ディスプレイ筐体部４１と本体筐体部４２とを点線で示している。図３において、ディスプレイ筐体部４１内の液晶表示パネル１４は、一般的な構成のもので、ドライバが設けられた枠状の印刷配線基板１８に液晶部１９が取り付けられている。
【００２９】
本体筐体部４２において、ディスプレイ筐体部４１の格納スペースに対して上方に隆起したスペースには、操作ボタン１５，１６が設けられた印刷配線基板２０と、放送受信端末１０の動作電源となるバッテリーを収容するバッテリー収容部２１と、図示しないスピーカとがそれぞれ取り付けられている。
【００３０】
また、本体筐体部４２において、ディスプレイ筐体部４１の格納スペースの下側にあたるスペースには、後述する復調手段から供給される多重ストリーム信号の処理を行なって、映像信号及び音声信号を出力するデジタル信号処理手段が収容されたブロック部品２２が取り付けられている。
【００３１】
そして、シールドケースに覆われて取り付けられているブロック部品２３には、高周波回路が形成されている。この高周波回路は、詳細は後述するが、２系統のアンテナ１，１より受信信号を供給され周波数変換処理を行なう受信手段と、その受信信号の復調を行なう復調手段が、それぞれ２系統ずつ、そしてその２系統の復調信号を合成する合成手段とチャンネル選局手段とを備えている。
【００３２】
また、ブロック部品２２には、放送受信端末１０の各回路部の制御を行なうマイクロコンピュータで構成される制御手段も収容されている。
【００３３】
ブロック部品２３には、コネクタ２４及びケーブル２５を介して、２系統のアンテナ１が接続され、高周波信号を受信手段に供給している。
【００３４】
このアンテナ１とブロック部品２３に内蔵される高周波回路とを接続するケーブル２５については、本体筐体部４２とディスプレイ筐体部４１との可動部を引き回すことになるため、耐久性を考慮して、マイクロストリップ線路やコプレーナ線路を施したフレキシブル基板を用いる。
【００３５】
図４（ａ），（ｂ）にフレキシブル基板にマイクロストリップ線路を施した状態を示し、図５（ａ），（ｂ）にフレキシブル基板にコプレーナ線路を施した状態を示している。両線路とも、ある比誘電率εｒを持った誘電体４５を基板とし、ＧＮＤパターン４６から一定の間隔を保った線路パターンを信号伝送路４７としている。
【００３６】
これらの線路を薄型で柔軟性のあるフレキシブル基板で構成することにより、比較的、可動頻度の高い部分の接続における耐久性が向上する。
【００３７】
図６は、上記放送受信端末１０の信号処理系を示している。図６において、２系統のアンテナ１は、ケーブル２５及びコネクタ２４を介してそれぞれ２系統の周波数変換部２６に接続され、ここで周波数変換処理が行なわれる。その後、それぞれの復調部２７によりデータ信号として復調され、信号合成部２８により１つのデータ信号に合成される。
【００３８】
チャンネルの選局は、ユーザーが操作入力部２９の操作ボタン１５を操作することにより、制御部３０に信号が加えられ、マイクロコンピュータ３１を含む制御手段から選局・デスクランブル部３２に選局信号が供給されることで実行される。
【００３９】
選局・デスクランブル部３２から出力された信号は、ＭＰＥＧ（Ｍｏｖｉｎｇ  Ｐｉｃｔｕｒｅ  Ｅｘｐｅｒｔｓ  Ｇｒｏｕｐ）デコーダ３３及びデジタル映像／音声信号処理部３４に供給され、映像信号については、グラフィック多重等の処理が施され、アナログ信号に変換された後、映像出力部３５に供給される。この映像出力部３５では、入力された映像信号に基づいて液晶表示パネル１４を駆動し、映像表示が行なわれる。
【００４０】
また、音声信号については、音量等の調整が施され、アナログ信号に変換された後、音声出力部３６で増幅されてスピーカ３７から音声として出力される他、イヤホーンあるいはヘッドホーン端子３８からも出力される。
【００４１】
なお、放送受信端末１０の動作電源となるバッテリー３９が備えられており、そのバッテリー３９から各回路用の電源を生成するために電源回路４０が設けられ、操作ボタン１６からの制御信号に従い、制御部３０によって制御される。
【００４２】
ここで、図７に示すように、ディスプレイ筐体部４１に実装されたアンテナ１に対しては、そこから得られる出力信号を、ディスプレイ筐体部４１に設置された増幅回路４３によって増幅した後に、上記ブロック部品２３に導くようにしている。
【００４３】
すなわち、アンテナ１がディスプレイ筐体部４１に実装される場合は、アンテナ１と、本体筐体部４２に格納されているブロック部品２３との距離が遠くなるため、必然的にケーブル２５の長さが長くなって伝送損失が大きくなるという問題が発生する。
【００４４】
そこで、ディスプレイ筐体部４１に増幅回路４３を設置し、アンテナ１から得られる出力信号を増幅して、ブロック部品２３に入力させることにより、伝送損失の改善を図ることができる。
【００４５】
この場合、増幅回路４３としては、コネクタ２４及びケーブル２５の伝送損失を補える程度の利得があれば十分である。また、増幅回路４３は、アンテナ１になるべく近い位置に設置することが望ましい。
【００４６】
なお、本体筐体部４２に実装されたアンテナ１に対しては、ブロック部品２３との距離が遠くならないので、増幅回路を設置する必要はない。
【００４７】
上記した実施の形態によれば、本体筐体部４２に対して可動可能なディスプレイ筐体部４１を備えた放送受信端末１０において、ディスプレイ筐体部４１に実装されたアンテナ１から得られる出力信号を、ディスプレイ筐体部４１に設置された増幅回路４３で増幅して、本体筐体部４２に格納されたブロック部品２３に供給するようにしている。
【００４８】
このため、アンテナ１の実装位置が制限されることがなくなり、広範囲で良好な指向特性を得ることが可能な位置にアンテナ１を自由に配置することが可能となる。
【００４９】
図８は、上記した実施の形態の変形例を示している。すなわち、２つのアンテナ１，１を共にディスプレイ筐体部４１に実装したもので、各アンテナ１，１から得られる出力信号を、ディスプレイ筐体部４１に設置された増幅回路４３，４３でそれぞれ増幅してブロック部品２３に供給するようにしたものである。
【００５０】
なお、この発明は上記した実施の形態そのままに限定されるものではなく、実施段階ではその要旨を逸脱しない範囲で構成要素を種々変形して具体化することができる。
【００５１】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００５２】
【発明の効果】
以上詳述したようにこの発明によれば、広範囲な指向特性を得ることを可能とし、しかも、小型化に好適する高周波受信装置を提供することができる。
【図面の簡単な説明】
【図１】この発明の実施の形態を示すもので、衛星デジタル放送システムの概略を説明するために示す図。
【図２】同実施の形態における放送受信端末の外観を説明するために示す斜視図。
【図３】同実施の形態における放送受信端末を下側後方から見た状態を説明するために示す斜視図。
【図４】同実施の形態におけるアンテナとブロック部品とを接続するフレキシブル基板の一例を説明するために示す図。
【図５】同実施の形態におけるアンテナとブロック部品とを接続するフレキシブル基板の他の例を説明するために示す図。
【図６】同実施の形態における放送受信端末の信号処理系を説明するために示すブロック構成図。
【図７】同実施の形態における放送受信端末の要部の構成を説明するために示す斜視図。
【図８】同実施の形態における変形例を説明するために示す斜視図。
【符号の説明】
Ａ…放送局、Ｂ…衛星、Ｃ…ギャップフィラー、１…アンテナ、１０…放送受信端末、１１…筐体、１２…前面、１３…開口、１４…液晶表示パネル、１５，１６…操作ボタン、１７…孔、１８…印刷配線基板、１９…液晶部、２０…印刷配線基板、２１…バッテリー収容部、２２，２３…ブロック部品、２４…コネクタ、２５…ケーブル、２６…周波数変換部、２７…復調部、２８…信号合成部、２９…操作入力部、３０…制御部、３１…マイクロコンピュータ、３２…選局・デスクランブル部、３３…ＭＰＥＧデコーダ、３４…デジタル映像／音声信号処理部、３５…映像出力部、３６…音声出力部、３７…スピーカ、３８…イヤホーンあるいはヘッドホーン端子、３９…バッテリー、４０…電源回路、４１…ディスプレイ筐体部、４２…本体筐体部、４３…増幅回路、４５…誘電体、４６…ＧＮＤパターン、４７…信号伝送路。
【図１】
2004357219.tif 000003
【図２】
2004357219.tif 000004
【図３】
2004357219.tif 000005
【図４】
2004357219.tif 000006
【図５】
2004357219.tif 000007
【図６】
2004357219.tif 000008
【図７】
2004357219.tif 000009
【図８】
2004357219.tif 000010